(57)【要約】【課題】光源ランプの交換メッセージを適切に表示させるようにする。【解決手段】ランプ動作時間判定部８２は、表示装置が有する光源ランプの動作した合計時間を表すランプ動作時間が、あらかじめ定められている標準使用時間を超えたかを判定し、電源オン回数カウント部８５は、光源ランプの交換を促す交換メッセージを表示させる表示許可モードに設定されているときの表示装置の電源がオンにされた回数を表す電源オン回数をカウントし、電源オン回数判定部８６は、電源オン回数が、所定の回数を超えたかを判定する。表示モード設定部８４は、ランプ動作時間判定部８２や電源オン回数判定部８６の判定に基づき、表示許可モードや、所定の期間だけ交換メッセージを表示することを禁止する表示禁止モードに設定する。本発明は、例えば、リアプロジェクションテレビジョン受像機などに適用することができる。【選択図】図２
2007172950.tif 000002
【特許請求の範囲】
【請求項１】
光源ランプからの光を用いて画像を表示する表示装置を制御する制御装置において、
前記光源ランプの動作した合計時間を表すランプ動作時間が、あらかじめ定められている標準使用時間を超えたか否かを判定するランプ動作時間判定手段と、
前記光源ランプの交換を促す交換メッセージの表示に関する表示モードを設定する表示モード設定手段と、
前記表示モードが、前記交換メッセージを前記表示装置に表示させる表示許可モードに設定されているときの前記表示装置の電源がオンにされた回数を表す電源オン回数をカウントする電源オン回数カウント手段と、
前記電源オン回数が、所定の回数を超えたか否かを判定する電源オン回数判定手段と
を備え、
前記表示モード設定手段は、
前記ランプ動作時間判定手段により、前記ランプ動作時間が、前記標準使用時間を超えていると判定された場合、前記表示モードを、前記表示許可モードに設定し、
前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する
制御装置。
【請求項２】
前記表示モード設定手段は、前記表示モードが前記表示禁止モードに設定されてから、前記電源がオンされた回数が、あらかじめ定められた回数になるまでの間を、前記所定の期間として、前記所定の期間だけ、前記表示モードを前記表示禁止モードに設定する
請求項１に記載の制御装置。
【請求項３】
前記表示モード設定手段は、前記表示モードが前記表示禁止モードに設定されてから、あらかじめ定められた時間が経過するまでの間を、前記所定の期間として、前記所定の期間だけ、前記表示モードを前記表示禁止モードに設定する
請求項１に記載の制御装置。
【請求項４】
前記標準使用時間は、前記光源ランプの仕様において、前記光源ランプの寿命として定められているランプ寿命時間である
請求項１に記載の制御装置。
【請求項５】
前記ランプ動作時間判定手段は、さらに、前記ランプ動作時間が、前記標準使用時間より長い最大使用時間を超えたか否かを判定し、
前記ランプ動作時間判定手段により、前記ランプ動作時間が、前記最大使用時間を超えたと判定された場合、前記表示モードに関わらず、前記表示装置に、前記交換メッセージを表示させる
請求項１に記載の制御装置。
【請求項６】
光源ランプからの光を用いて画像を表示する表示装置の制御方法において、
前記光源ランプの動作した合計時間を表すランプ動作時間が、あらかじめ定められている標準使用時間を超えたか否かを判定し、
前記光源ランプの交換を促す交換メッセージの表示に関する表示モードを設定し、
前記表示モードが、前記交換メッセージを前記表示装置に表示させる表示許可モードに設定されているときの前記表示装置の電源がオンにされた回数を表す電源オン回数をカウントし、
前記電源オン回数が、所定の回数を超えたか否かを判定する
ステップを含み、
前記ランプ動作時間が、前記標準使用時間を超えていると判定された場合、前記表示モードは、前記表示許可モードに設定され、
前記電源オン回数が、前記所定の回数を超えたと判定された場合、前記表示モードは、所定の期間だけ、前記交換メッセージを表示することを禁止する表示禁止モードに設定され、前記所定の期間の経過後、前記表示許可モードに設定される
制御方法。
【請求項７】
光源ランプからの光を用いて画像を表示する表示装置の制御をコンピュータに実行させるプログラムにおいて、
前記光源ランプの動作した合計時間を表すランプ動作時間が、あらかじめ定められている標準使用時間を超えたか否かを判定し、
前記光源ランプの交換を促す交換メッセージの表示に関する表示モードを設定し、
前記表示モードが、前記交換メッセージを前記表示装置に表示させる表示許可モードに設定されているときの前記表示装置の電源がオンにされた回数を表す電源オン回数をカウントし、
前記電源オン回数が、所定の回数を超えたか否かを判定する
ステップを含み、
前記ランプ動作時間が、前記標準使用時間を超えていると判定された場合、前記表示モードは、前記表示許可モードに設定され、
前記電源オン回数が、前記所定の回数を超えたと判定された場合、前記表示モードは、所定の期間だけ、前記交換メッセージを表示することを禁止する表示禁止モードに設定され、前記所定の期間の経過後、前記表示許可モードに設定される
制御をコンピュータに実行させるプログラム。
【請求項８】
光源ランプからの光を用いて画像を表示する表示装置において、
前記光源ランプの動作した合計時間を表すランプ動作時間が、あらかじめ定められている標準使用時間を超えたか否かを判定するランプ動作時間判定手段と、
前記光源ランプの交換を促す交換メッセージの表示に関する表示モードを設定する表示モード設定手段と、
前記交換メッセージを、前記光源ランプからの光を用いて表示する表示手段と、
前記表示モードが、前記交換メッセージを前記表示装置に表示させる表示許可モードに設定されているときの前記表示装置の電源がオンにされた回数を表す電源オン回数をカウントする電源オン回数カウント手段と、
前記電源オン回数が、所定の回数を超えたか否かを判定する電源オン回数判定手段と
を備え、
前記表示モード設定手段は、
前記ランプ動作時間判定手段により、前記ランプ動作時間が、前記標準使用時間を超えていると判定された場合、前記表示モードを、前記表示許可モードに設定し、
前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する
表示装置。
【請求項９】
光源ランプからの光をスクリーンに投射することにより画像を表示する表示装置において、
前記光源ランプの動作した合計時間を表すランプ動作時間が、あらかじめ定められている標準使用時間を超えたか否かを判定するランプ動作時間判定手段と、
前記光源ランプの交換を促す交換メッセージの前記スクリーンへの表示を制御
する表示制御手段と
を備え、
前記表示制御手段は、前記ランプ動作時間が前記標準使用時間を超えた後、
前記表示装置の電源がオンにされた回数である電源オン回数が所定の回数とるまで、前記電源がオンにされたときに、前記交換メッセージを表示させ、その後、所定の期間だけ、前記交換メッセージの表示を禁止する
ことを繰り返す
表示装置。
【発明の詳細な説明】
【技術分野】
【０００１】
本発明は、制御装置および制御方法、プログラム、並びに表示装置に関し、特に、例えば、表示装置が備える光源ランプの交換を促す交換メッセージを、適切に表示することができるようにした制御装置および制御方法、プログラム、並びに表示装置に関する。
【背景技術】
【０００２】
例えば、光源ランプとスクリーンとを有し、光源ランプの光を用いて、画像をスクリーンに表示させるリアプロジェクションテレビジョン受像機（以下、適宜、プロジェクションTVという）によれば、光源ランプが発する光をスクリーンに照射することで、スクリーンに画像が表示される。従って、光源ランプの、いわゆる寿命が尽きて光源ランプが発光しなくなると、光源ランプの交換をするまでは、画像をスクリーンに表示させることができない。
【０００３】
ところで、光源ランプのおおよその寿命を表すランプ寿命時間は、仕様によって定められていることが多い。そこで、光源ランプの動作した合計時間を表すランプ動作時間を計時し、ランプ動作時間が、ランプ寿命時間を超えている場合には、光源ランプの交換を促す交換メッセージを、スクリーンに表示させることが提案されている（例えば、特許文献１，２参照）。
【特許文献１】特開平４−２５０４３７号公報
【特許文献２】特開２００２−２８７２４３号公報
【発明の開示】
【発明が解決しようとする課題】
【０００４】
ところで、ランプ動作時間がランプ寿命時間を超えた場合に、常時、スクリーンに交換メッセージが表示されるのでは、ユーザが煩わしさを感じることがある。
【０００５】
本発明は、このような状況に鑑みてなされたものであり、光源ランプの交換メッセージを、ユーザに煩わしさを感じさせないように適切に表示させるものである。
【課題を解決するための手段】
【０００６】
本発明の第１の側面の制御装置は、光源ランプからの光を用いて画像を表示する表示装置を制御する制御装置であって、前記光源ランプの動作した合計時間を表すランプ動作時間が、あらかじめ定められている標準使用時間を超えたか否かを判定するランプ動作時間判定手段と、前記光源ランプの交換を促す交換メッセージの表示に関する表示モードを設定する表示モード設定手段と、前記表示モードが、前記交換メッセージを前記表示装置に表示させる表示許可モードに設定されているときの前記表示装置の電源がオンにされた回数を表す電源オン回数をカウントする電源オン回数カウント手段と、前記電源オン回数が、所定の回数を超えたか否かを判定する電源オン回数判定手段とを備え、前記表示モード設定手段は、前記ランプ動作時間判定手段により、前記ランプ動作時間が、前記標準使用時間を超えていると判定された場合、前記表示モードを、前記表示許可モードに設定し、前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【０００７】
前記表示モード設定手段では、前記表示モードが前記表示禁止モードに設定されてから、前記電源がオンされた回数が、あらかじめ定められた回数になるまでの間を、前記所定の期間として、前記所定の期間だけ、前記表示モードを前記表示禁止モードに設定させることができる。
【０００８】
前記表示モード設定手段では、前記表示モードが前記表示禁止モードに設定されてから、あらかじめ定められた時間が経過するまでの間を、前記所定の期間として、前記所定の期間だけ、前記表示モードを前記表示禁止モードに設定させることができる。
【０００９】
前記標準使用時間は、前記光源ランプの仕様において、前記光源ランプの寿命として定められているランプ寿命時間とすることができる。
【００１０】
前記ランプ動作時間判定手段では、さらに、前記ランプ動作時間が、前記標準使用時間より長い最大使用時間を超えたか否かを判定し、前記ランプ動作時間判定手段により、前記ランプ動作時間が、前記最大使用時間を超えたと判定された場合、前記表示モードに関わらず、前記表示装置に、前記交換メッセージを表示させることができる。
【００１１】
本発明の第１の側面の制御方法、またはプログラムは、光源ランプからの光を用いて画像を表示する表示装置の制御方法、または光源ランプからの光を用いて画像を表示する表示装置の制御をコンピュータに実行させるプログラムであって、前記光源ランプの動作した合計時間を表すランプ動作時間が、あらかじめ定められている標準使用時間を超えたか否かを判定し、前記光源ランプの交換を促す交換メッセージの表示に関する表示モードを設定し、前記表示モードが、前記交換メッセージを前記表示装置に表示させる表示許可モードに設定されているときの前記表示装置の電源がオンにされた回数を表す電源オン回数をカウントし、前記電源オン回数が、所定の回数を超えたか否かを判定するステップを含み、前記ランプ動作時間が、前記標準使用時間を超えていると判定された場合、前記表示モードは、前記表示許可モードに設定され、前記電源オン回数が、前記所定の回数を超えたと判定された場合、前記表示モードは、所定の期間だけ、前記交換メッセージを表示することを禁止する表示禁止モードに設定され、前記所定の期間の経過後、前記表示許可モードに設定される。
【００１２】
以上のような第１の側面の制御装置、制御方法、またはプログラムにおいては、光源ランプからの光を用いて画像を表示する表示装置に内蔵される光源ランプの動作した合計時間を表すランプ動作時間が、あらかじめ定められている標準使用時間を超えたか否かを判定する。さらに、前記光源ランプの交換を促す交換メッセージの表示に関する表示モードを設定し、前記表示モードが、前記交換メッセージを前記表示装置に表示させる表示許可モードに設定されているときの前記表示装置の電源がオンにされた回数を表す電源オン回数をカウントする。そして、前記電源オン回数が、所定の回数を超えたか否かを判定し、前記ランプ動作時間が、前記標準使用時間を超えていると判定された場合、前記表示モードを、前記表示許可モードに設定する。一方、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【００１３】
本発明の第２の側面の表示装置は、光源ランプからの光を用いて画像を表示する表示装置であって、前記光源ランプの動作した合計時間を表すランプ動作時間が、あらかじめ定められている標準使用時間を超えたか否かを判定するランプ動作時間判定手段と、前記光源ランプの交換を促す交換メッセージの表示に関する表示モードを設定する表示モード設定手段と、前記交換メッセージを、前記光源ランプからの光を用いて表示する表示手段と、前記表示モードが、前記交換メッセージを前記表示装置に表示させる表示許可モードに設定されているときの前記表示装置の電源がオンにされた回数を表す電源オン回数をカウントする電源オン回数カウント手段と、前記電源オン回数が、所定の回数を超えたか否かを判定する電源オン回数判定手段とを備え、前記表示モード設定手段は、前記ランプ動作時間判定手段により、前記ランプ動作時間が、前記標準使用時間を超えていると判定された場合、前記表示モードを、前記表示許可モードに設定し、前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【００１４】
以上のような第２の側面の表示装置においては、光源ランプからの光を用いて画像を表示する表示装置に内蔵される光源ランプの動作した合計時間を表すランプ動作時間が、あらかじめ定められている標準使用時間を超えたか否かを判定し、前記光源ランプの交換を促す交換メッセージの表示に関する表示モードを設定するとともに、前記交換メッセージを、前記光源ランプからの光を用いて表示する。さらに、前記表示モードが、前記交換メッセージを前記表示装置に表示させる表示許可モードに設定されているときの前記表示装置の電源がオンにされた回数を表す電源オン回数をカウントし、前記電源オン回数が、所定の回数を超えたか否かを判定する。そして、前記ランプ動作時間が、前記標準使用時間を超えていると判定された場合、前記表示モードを、前記表示許可モードに設定する。また、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【００１５】
本発明の第３の側面の表示装置は、光源ランプからの光をスクリーンに投射することにより画像を表示する表示装置であって、前記光源ランプの動作した合計時間を表すランプ動作時間が、あらかじめ定められている標準使用時間を超えたか否かを判定するランプ動作時間判定手段と、前記光源ランプの交換を促す交換メッセージの前記スクリーンへの表示を制御する表示制御手段とを備え、前記表示制御手段は、前記ランプ動作時間が前記標準使用時間を超えた後、前記表示装置の電源がオンにされた回数である電源オン回数が所定の回数とるまで、前記電源がオンにされたときに、前記交換メッセージを表示させ、その後、所定の期間だけ、前記交換メッセージの表示を禁止することを繰り返す。
【００１６】
以上のような第３の側面の表示装置においては、光源ランプの動作した合計時間を表すランプ動作時間が、あらかじめ定められている標準使用時間を超えた後、電源がオンにされた回数である電源オン回数が所定の回数となるまで、前記電源がオンにされたときに、前記交換メッセージを表示し、その後、所定の期間だけ、前記交換メッセージの表示を禁止することが繰り返される。
【発明の効果】
【００１７】
本発明の第１乃至第３の側面によれば、光源ランプの交換メッセージを、ユーザに煩わしさを感じさせないように適切に表示させることができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の第１の側面の制御装置（例えば、図１のリアプロジェクションテレビジョン受像機２１）は、光源ランプ（例えば、図１の光源ランプ３３A）からの光を用いて画像を表示する表示装置を制御する制御装置であって、前記光源ランプの動作した合計時間を表すランプ動作時間が、あらかじめ定められている標準使用時間を超えたか否かを判定するランプ動作時間判定手段（例えば、図２のランプ動作時間判定部８２）と、前記光源ランプの交換を促す交換メッセージの表示に関する表示モードを設定する表示モード設定手段（例えば、図２の表示モード設定部８４）と、前記表示モードが、前記交換メッセージを前記表示装置に表示させる表示許可モードに設定されているときの前記表示装置の電源がオンにされた回数を表す電源オン回数をカウントする電源オン回数カウント手段（例えば、図２の電源オン回数カウント部８５）と、前記電源オン回数が、所定の回数を超えたか否かを判定する電源オン回数判定手段（例えば、図２の電源オン回数判定部８６）とを備え、前記表示モード設定手段は、前記ランプ動作時間判定手段により、前記ランプ動作時間が、前記標準使用時間を超えていると判定された場合、前記表示モードを、前記表示許可モードに設定し、前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【００２０】
本発明の第１の側面の制御方法、またはプログラムは、光源ランプ（例えば、図１の光源ランプ３３A）からの光を用いて画像を表示する表示装置（例えば、図１のリアプロジェクションテレビジョン受像機２１）の制御方法、または光源ランプからの光を用いて画像を表示する表示装置の制御をコンピュータに実行させるプログラムであって、前記光源ランプの動作した合計時間を表すランプ動作時間が、あらかじめ定められている標準使用時間を超えたか否かを判定し（例えば、図４のステップＳ５１）、前記光源ランプの交換を促す交換メッセージの表示に関する表示モードを設定し（例えば、図４のステップＳ５３、ステップＳ５８、またはステップＳ６１）、前記表示モードが、前記交換メッセージを前記表示装置に表示させる表示許可モードに設定されているときの前記表示装置の電源がオンにされた回数を表す電源オン回数をカウントし（例えば、図４のステップＳ５５）、前記電源オン回数が、所定の回数を超えたか否かを判定する（例えば、図４のステップＳ５６）ステップを含み、前記ランプ動作時間が、前記標準使用時間を超えていると判定された場合、前記表示モードは、前記表示許可モードに設定され（例えば、図４のステップＳ５３）、前記電源オン回数が、前記所定の回数を超えたと判定された場合、前記表示モードは、所定の期間だけ、前記交換メッセージを表示することを禁止する表示禁止モードに設定され（例えば、図４のステップＳ５８）、前記所定の期間の経過後、前記表示許可モードに設定される（例えば、図４のステップＳ６１）ステップを含む。
【００２１】
本発明の第２の側面の表示装置（例えば、図１のリアプロジェクションテレビジョン受像機２１）は、光源ランプ（例えば、図１の光源ランプ３３A）からの光を用いて画像を表示する表示装置であって、前記光源ランプの動作した合計時間を表すランプ動作時間が、あらかじめ定められている標準使用時間を超えたか否かを判定するランプ動作時間判定手段（例えば、図２のランプ動作時間判定部８２）と、前記光源ランプの交換を促す交換メッセージの表示に関する表示モードを設定する表示モード設定手段（例えば、図２の表示モード設定部８４）と、前記交換メッセージを、前記光源ランプからの光を用いて表示する表示手段（例えば、図１のスクリーン３４）と、前記表示モードが、前記交換メッセージを前記表示装置に表示させる表示許可モードに設定されているときの前記表示装置の電源がオンにされた回数を表す電源オン回数をカウントする電源オン回数カウント手段（例えば、図２の電源オン回数カウント部８５）と、前記電源オン回数が、所定の回数を超えたか否かを判定する電源オン回数判定手段（例えば、図２の電源オン回数判定部８６）とを備え、前記表示モード設定手段は、前記ランプ動作時間判定手段により、前記ランプ動作時間が、前記標準使用時間を超えていると判定された場合、前記表示モードを、前記表示許可モードに設定し、前記電源オン回数判定手段により、前記電源オン回数が、前記所定の回数を超えたと判定された場合、前記表示モードを、所定の期間だけ、前記交換メッセージを表示することを禁止する表示禁止モードに設定し、前記所定の期間の経過後、前記表示モードを前記表示許可モードに設定する。
【００２２】
本発明の第３の側面の表示装置（例えば、図１のリアプロジェクションテレビジョン受像機２１）は、光源ランプ（例えば、図１の光源ランプ３３A）からの光をスクリーン（例えば、図１のスクリーン３４）に投射することにより画像を表示する表示装置において、前記光源ランプの動作した合計時間を表すランプ動作時間が、あらかじめ定められている標準使用時間を超えたか否かを判定するランプ動作時間判定手段（例えば、図２のランプ動作時間判定部８２）と、前記光源ランプの交換を促す交換メッセージの前記スクリーンへの表示を制御する表示制御手段（例えば、図２の表示制御部８３）とを備え、前記表示制御手段は、前記ランプ動作時間が前記標準使用時間を超えた後、前記表示装置の電源がオンにされた回数である電源オン回数が所定の回数とるまで、前記電源がオンにされたときに、前記交換メッセージを表示させ、その後、所定の期間だけ、前記交換メッセージの表示を禁止することを繰り返す。
【００２３】
次に、図面を参照して、本発明の実施の形態について説明する。
【００２４】
図１は、本発明を適用したリアプロジェクションテレビジョン受像機システムの一実施の形態の構成例を示すブロック図である。
【００２５】
図１のリアプロジェクションテレビジョン受像機システムは、リモートコントローラ１１、リアプロジェクションテレビジョン受像機２１（以下、適宜、リアプロジェクションTV２１という）、およびアンテナ２６により構成されている。
【００２６】
リアプロジェクションTV２１は、受信部２２、操作部２３、制御部２４、記憶部２５、TV（TeleVision）信号受信部２７、音声復号部２８、スピーカ２９、映像復号部３０、GUI（Graphical User Interface）生成部３１、合成部３２、光学投射部３３、およびスクリーン３４により構成されている。
【００２７】
リモートコントローラ１１は、例えば、ユーザが、リモートコントローラ１１を操作した場合、そのユーザによるリモートコントローラ１１の操作に対応した操作信号を、赤外線などの無線により、リアプロジェクションTV２１の受信部２３に出射する。
【００２８】
受信部２２は、リモートコントローラ１１から出射される操作信号を受信し、制御部２４に供給する。
【００２９】
操作部２３は、リアプロジェクションTV２１に設けられる電源ボタンやチャンネルボタンなどであり、ユーザが、操作部２３を操作した場合、そのユーザによる操作に対応した操作信号を、制御部２４に供給する。
【００３０】
制御部２４は、受信部２２または操作部２３からの操作信号などに基づいて、TV信号受信部２７、音声復号部２８、映像復号部３０、GUI生成部３１、合成部３２、または光学投射部３３を制御する。
【００３１】
さらに、制御部２４は、記憶部２５に記憶された情報や、光学投射部３３から供給される情報などに基づき、後述する光学投射部３３が内蔵する光源ランプ３３Aの交換を促す交換メッセージのスクリーン３４への表示に関する表示モードを設定し、その表示モードに従い、スクリーン３４への交換メッセージの表示を制御する。
【００３２】
なお、制御部２４が、TV信号受信部２７、音声復号部２８、映像復号部３０、GUI生成部３１、合成部３２、または光学投射部３３を制御する制御信号がやりとりされる制御線の図示は、図が煩雑になるのを避けるため、省略してある。
【００３３】
記憶部２５は、制御部２４が、光源ランプ３３Aの交換メッセージの表示をさせるか否かを決定する処理をする上で必要な情報（データ）を記憶する。
【００３４】
アンテナ２６は、地上波または衛星波などのディジタルテレビジョン放送の放送電波を受信し、対応するRF(Radio Frequency)信号を、ＴＶ信号受信部２７に供給する。
【００３５】
ＴＶ信号受信部２７は、制御部２４の制御により、アンテナ２６から供給されるディジタルテレビジョン放送のRF信号から、所定のチャンネル（周波数帯域）のRF信号を復調し、その結果得られる（ベースバンドの）音声信号と映像信号とを、それぞれ音声復号部２８と映像復号部３０とに供給する。
【００３６】
音声復号部２８は、制御部２４の制御により、ＴＶ信号受信部２７から供給される音声信号を、スピーカ２９により音声として出力できる信号に復号し、スピーカ２９に供給する。スピーカ２９は、音声復号部２８からの信号に対応する音声を出力する。
【００３７】
映像復号部３０は、制御部２４の制御により、ＴＶ信号受信部２７から供給される映像信号を復号し、合成部３２に供給する。
【００３８】
GUI生成部３１は、制御部２４の制御により、光源ランプ３３Aの交換メッセージや、ユーザが、リアプロジェクションTV２１の音量や明るさなどを設定する際に表示されるコントロール画面などのGUIのデータを生成し、合成部３２に供給する。
【００３９】
合成部３２は、制御部２４の制御により、映像復号部３０から供給される復号後の映像信号と、GUI生成部３１から供給されるGUI（のデータ）とを合成（重畳）し、その結果得られる合成信号を、光学投射部３３に供給する。なお、合成部３２は、GUI生成部３１からGUIが供給されない場合は、映像復号部３０からの復号後の映像信号を、そのまま合成信号として、光学投射部３３に供給する。
【００４０】
光学投射部３３は、光源ランプ３３Aを内蔵し、光源ランプ３３Aは、リモートコントローラ１１や操作部２３が操作されることにより、リアプロジェクションTV２１の電源がオンまたはオフされると、それぞれ点灯または消灯する。光学投射部３３は、光源ランプ３３Aが点灯して発する光の透過量を、例えば、図示せぬ液晶パネルにより、合成部３２から供給される合成信号に応じて調整することで、合成信号に対応する光を、スクリーン３４に投射する。これにより、スクリーン３４では、合成部３２から光学投射部３３に供給される合成信号に対応する映像が表示される。
【００４１】
また、光学投射部３３は、光源ランプ３３Aが点灯してから消灯するまでの延べ時間であるランプ動作時間、即ち、光源ランプ３３Aの動作した合計時間を表すランプ動作時間を計時し、制御部２４に供給する。ここで、光学投射部３３は、図示せぬ不揮発性メモリに、ランプ動作時間を記憶させ、光源ランプ３３Aが点灯すると、不揮発性メモリに記憶された値を初期値として、ランプ動作時間を計時する。なお、不揮発性メモリに記憶されたランプ動作時間は、リアプロジェクションTV２１の工場出荷時においては、０にリセットされており、光源ランプ３３Aが交換されたとき、０にリセットされる。
【００４２】
図２は、図１の制御部２４の構成例を示すブロック図である。
【００４３】
図２において、制御部２４は、ランプ動作時間取得部８１、ランプ動作時間判定部８２、表示制御部８３、表示モード設定部８４、電源オン回数カウント部８５、電源オン回数判定部８６、表示禁止時間計時部８７、および表示禁止時間判定部８８を含んでいる。なお、図２には、制御部２４のうちの、交換メッセージの表示に関する処理を行う構成だけを図示してある。また、図２では、各ブロックに入出力する信号をやりとりするための信号線の図示は、図が煩雑になるのを避けるため、省略してある。
【００４４】
ランプ動作時間取得部８１は、光学投射部３３に内蔵される光源ランプ３３Aが点灯した延べ時間（ランプ動作時間）を取得する。
【００４５】
即ち、上述したように、光学投射部３３は、光源ランプ３３Aのランプ動作時間を計時し、管理（記憶）しており、ランプ動作時間取得部８１は、受信部２２または操作部２３からリアプロジェクションTV２１の電源をオンにさせる電源オン信号を受信すると、光学投射部３３に、ランプ動作時間を要求する。光学投射部３３は、ランプ動作時間取得部８１の要求に応じて、記憶（管理）しているランプ動作時間を、制御部２４のランプ動作時間取得部８１に供給し、ランプ動作時間取得部８１は、光学投射部３３から供給されるランプ動作時間を受信して、ランプ動作時間判定部８２に供給する。
【００４６】
ここで、ランプ動作時間は、光学投射部３３が計時するのではなく、ランプ動作時間取得部８１に計時させるようにしてもよい。
【００４７】
ランプ動作時間判定部８２は、ランプ動作時間取得部８１からのランプ動作時間が、あらかじめ定められている標準使用時間、即ち、例えば、光源ランプ３３Aの仕様において、光源ランプ３３Aのおおよその寿命として定められる時間（ランプ寿命時間）を超えているか否かを判定する。なお、標準使用時間は、例えば、記憶部２５にあらかじめ記憶させておくこともできるし、光学投射部３３が管理している場合には、光学投射部３３から取得することもできる。
【００４８】
表示制御部８３は、GUI生成部３１での交換メッセージの生成、ひいては、スクリーン３４での交換メッセージの表示を制御する。
【００４９】
表示モード設定部８４は、ランプ動作時間判定部８２が行ったランプ動作時間の判定の結果などに基づき、表示モードを設定する。ここで、表示モードとしては、ランプ動作時間が標準使用時間を超えるまで、光源ランプ３３Aの交換メッセージの表示を禁止する初期禁止モード、リアプロジェクションTV２１の電源をオンしたときから一定時間だけ、光源ランプ３３Aの交換メッセージを表示させる表示許可モード、およびランプ動作時間が標準使用時間を超えた後に、光源ランプ３３Aの交換メッセージを表示することを禁止する表示禁止モードがある。なお、リアプロジェクションTV２１の工場出荷時、表示モードは、初期禁止モードになっている。また、表示モードは、光源ランプ３３Aが交換されたときも、初期禁止モードにされる。表示モードは、記憶部２５（図１）に記憶される。
【００５０】
電源オン回数カウント部８５は、表示モードが、表示許可モードに設定されているときの、リアプロジェクションTV２１の電源がオンにされた回数（電源がオンにされることにより、光源ランプ３３Aが点灯した回数）である電源オン回数をカウントし、電源オン回数判定部８６に供給する。
【００５１】
電源オン回数判定部８６は、電源オン回数カウント部８５からの電源オン回数が、その電源オン回数の閾値としてあらかじめ決められている電源オン閾値を超えているか否かを判定する。なお、電源オン閾値は、例えば、記憶部２５（図１）にあらかじめ記憶させておくことができる。
【００５２】
表示禁止時間計時部８７は、表示モードが、表示禁止モードとなってから、光源ランプ３３Aが点灯した時間（以下、適宜、表示禁止時間という）を計時し、表示禁止時間判定部８８に供給する。
【００５３】
表示禁止時間判定部８８は、表示禁止時間計時部８７からの表示禁止時間が、表示禁止時間の閾値としてあらかじめ決められている禁止時間閾値を超えているか否かを判定する。なお、禁止時間閾値は、例えば、記憶部２５（図１）にあらかじめ記憶させておくことができる。
【００５４】
次に、図３のフローチャートを参照し、図１のリアプロジェクションテレビジョン受像機システムにおける処理を説明する。
【００５５】
ユーザが、リモートコントローラ１１や操作部２３をリアプロジェクションTV２１の電源をオンにするように操作すると、受信部２２または操作部２３からリアプロジェクションTV２１の電源をオンにさせる電源オン信号が、制御部２４に供給される。この場合、リアプロジェクションTV２１では、図３に示す処理が開始される。
【００５６】
即ち、ステップＳ１１において、光学投射部３３の光源ランプ３３Aが消灯状態から点灯状態となって、ステップＳ１２に進む。
【００５７】
ステップＳ１２において、アンテナ２６が、ディジタルテレビジョン放送の放送電波を受信し、対応するRF信号を、TV信号受信部２７に供給する。TV信号受信部２７は、アンテナ２６から供給されるディジタルテレビジョン放送のRF信号から、所定のチャンネルのRF信号を復調し、その結果得られる音声信号と映像信号とを、それぞれ音声復号部２８と映像復号部３０とに供給して、ステップＳ１２から、ステップＳ１３に進む。
【００５８】
ステップＳ１３は、ステップＳ１４乃至ステップＳ１６を含み、ステップＳ１３では、リアプロジェクションTV２１は、スピーカ２９から音声を出力し、スクリーン３４に映像を表示する処理を行う。
【００５９】
即ち、ステップＳ１４において、音声復号部２８は、ＴＶ信号受信部２７から供給される音声信号を、スピーカ２９により音声として出力することができる信号に復号し、スピーカ２９に供給する。これにより、スピーカ２９からは、音声復号部２８からの信号に対応する音声が出力される。
【００６０】
一方、ステップＳ１５において、映像復号部３０は、ＴＶ信号受信部２７から供給される映像信号を復号して出力し、ステップＳ１６に進む。映像復号部３０が出力した映像信号は、合成部３２を介することにより、合成信号として光学投射部３３に供給される。
【００６１】
ここで、合成部３２は、映像復号部３０から供給される復号後の映像信号と、GUI生成部３１から供給されるGUIとを合成（重畳）し、その結果得られる合成信号を、光学投射部３３に供給する。
【００６２】
また、GUI生成部３１から合成部３２にGUIが供給されていない場合、合成部３２は、上述したように、映像復号部３０から供給される復号後の映像信号を、合成信号として、そのまま光学投射部３３に供給する。
【００６３】
ステップＳ１６において、光学投射部３３は、光源ランプ３３Aが点灯して発する光を、合成部３２を介して供給される合成信号に応じて調整し、スクリーン３４に投射する。これにより、スクリーン３４では、合成信号に対応する映像が表示される。
【００６４】
その後、ステップＳ２１に進み、制御部２４が、後述する交換メッセージの処理をする。そして、リアプロジェクションTV２１の電源がオフにされると、光源ランプ３３Aが消灯して処理が終了する。
【００６５】
次に、図４のフローチャートを参照し、図３のステップＳ２１における交換メッセージの処理の詳細について説明する。
【００６６】
ステップＳ５１において、ランプ動作時間取得部８１は、光学投射部３３からランプ動作時間を取得し、ランプ動作時間判定部８２に供給する。さらに、ステップＳ５１では、ランプ動作時間判定部８２が、ランプ動作時間取得部８１からのランプ動作時間が、標準使用時間を超えているかどうかを判定する。
【００６７】
ステップＳ５１において、ランプ動作時間が、標準使用時間を超えていないと判定された場合、リターンする。なお、ランプ動作時間が、標準使用時間を超えていない場合、記憶部２５（図１）に記憶されている表示モードは、初期禁止モードになっている。
【００６８】
他方、ステップＳ５１において、ランプ動作時間判定部８２は、ランプ動作時間が、標準使用時間を超えていると判定した場合、その旨の判定結果を、表示モード設定部８４に供給し、ステップＳ５２に進む。
【００６９】
表示モード設定部８４は、ランプ動作時間判定部８２から、ランプ動作時間が標準使用時間を超えている旨の判定結果が供給されると、ステップＳ５２において、記憶部２５に記憶されている表示モードを読み出し、その表示モードが初期禁止モードになっているか否かを判定する。
【００７０】
ステップＳ５２において、表示モードが、初期禁止モードになっていると判定された場合、ステップＳ５３に進み、表示モード設定部８４は、表示モードを、表示許可モードに設定、即ち、記憶部２５に記憶されている表示モードを、表示許可モードにして、ステップＳ５５に進む。従って、ランプ動作時間が、標準使用時間を超えている場合において、表示モードが、初期禁止モードになっているときは、即ち、現在の光源ランプ３３Aの使用が開始されてからのランプ動作時間が、初めて標準使用時間を超えたときには、表示モードが、初期禁止モードから表示許可モードに変更される。
【００７１】
以上のように、表示モードが表示許可モードにされると、ステップＳ５５において、電源オン回数カウント部８５は、記憶部２５に記憶されている、初期値が０の電源オン回数を１だけインクリメント（カウント）し、電源オン回数判定部８６に供給して、ステップＳ５６に進む。
【００７２】
ステップＳ５６において、電源オン回数判定部８６は、電源オン回数カウント部８５からの電源オン回数が、記憶部２５に記憶されている電源オン閾値以内であるか否かを判定する。
【００７３】
ステップＳ５６において、電源オン回数判定部８６は、電源オン回数が電源オン閾値以内であると判定した場合、その旨の判定結果を、表示制御部８３に供給して、ステップＳ５７に進む。表示制御部８３は、電源オン回数判定部８６から、電源オン回数が電源オン閾値以内である旨の判定結果が供給されると、ステップＳ５７において、交換メッセージを所定の時間だけ出力するように、GUI生成部３１を制御して、リターンする。
【００７４】
GUI生成部３１は、表示制御部８３からの制御に応じて、光源ランプ３３Aの交換メッセージのGUIを生成し、所定の時間（例えば、１分間など）だけ出力する。GUI生成部３１が出力する交換メッセージは、合成部３２を介して光学投射部３３に供給され、これにより、スクリーン３４において、交換メッセージが所定の時間だけ表示される。
【００７５】
一方、ステップＳ５２において、表示モードが、初期禁止モードでないと判定された場合、ステップＳ５４に進み、表示モード設定部８４は、表示モードが、表示許可モードになっているかどうかを判定する。
【００７６】
ステップＳ５４において、表示モードが、表示許可モードになっていると判定された場合、ステップＳ５５に進み、以下、上述した場合と同様の処理が行われる。
【００７７】
従って、ランプ動作時間が、標準使用時間を超えている場合において、表示モードが表示許可モードになっており、かつ、その表示許可モードでの電源オン回数が電源オン閾値以内であるときは、交換メッセージが（リアプロジェクションTV２１の電源がオンされてから）所定の時間だけ表示される。
【００７８】
他方、ステップＳ５６において、電源オン回数判定部８６は、電源オン回数が電源オン閾値を超えたと判定した場合、即ち、表示モードが表示許可モードになってから、電源オン閾値を超える回数だけ、リアプロジェクションTV２１の電源がオンにされた場合、ステップＳ５８に進み、表示モード設定部８４は、表示モードを表示禁止モードに設定し、電源オン回数をリセット（値を０に）して、ステップＳ５９に進む。
【００７９】
従って、ランプ動作時間が、標準使用時間を超えている場合において、表示モードが、表示許可モードになっており、かつ、その表示許可モードでの電源オン回数が電源オン閾値を超えたときは、表示モードが、表示許可モードから表示禁止モードに変更され、さらに、電源オン回数がリセットされる。
【００８０】
ステップＳ５９では、表示禁止時間計時部８７は、表示モードが表示禁止モードにされてからの経過時間である表示禁止時間の計時を開始する。
【００８１】
なお、ステップＳ５９において開始された表示禁止時間の計時は、光源ランプ３３Aが点灯している間行われ、光源ランプ３３Aが消灯しているときは一時停止される。
【００８２】
即ち、表示禁止時間計時部８７は、表示禁止時間の計時の開始後、リアプロジェクションTV２１の電源がオフにされるときに、表示禁止時間を、記憶部２５に供給して記憶させる。そして、その後、リアプロジェクションTV２１の電源がオンにされると、表示禁止時間計時部８７は、記憶部２５に記憶されている表示禁止時間を初期値として、表示禁止時間の計時を続行する。
【００８３】
ステップＳ５９の処理後は、ステップＳ６０に進み、表示禁止時間判定部８８は、表示禁止時間計時部８７が計時している表示禁止時間が禁止時間閾値以内であるか否かを判定し、表示禁止時間が禁止時間閾値以内であると判定した場合、リターンする。
【００８４】
一方、上述のステップＳ５４において、表示モードが、表示許可モードでないと判定された場合、即ち、表示モードが表示禁止モードになっている場合、ステップＳ６０に進み、以下、同様の処理が行われる。
【００８５】
従って、ランプ動作時間が、標準使用時間を超えている場合において、表示モードが表示禁止モードになっており、かつ、その表示禁止モードになってから、表示禁止時間、即ち、リアプロジェクションTV２１の電源がオンにされていた時間、ひいては、光源ランプ３３Aが点灯されていた時間が、禁止時間閾値以内であるときには、ランプ動作時間が、標準使用時間を超えているにも関わらず、交換メッセージは表示されない。
【００８６】
その結果、ランプ動作時間が、標準使用時間を超えた以後、リアプロジェクションTV２１の電源がオンにされるたびに、交換メッセージが表示される場合に比較して、ユーザが煩わしさを感じることを防止することができる。
【００８７】
他方、ステップＳ６０において、表示禁止時間判定部８８は、表示禁止時間が禁止時間閾値を超えていると判定した場合、ステップＳ６１に進み、表示モード設定部８４は、表示モードを表示許可モードに設定する。さらに、ステップＳ６１では、表示禁止時間計時部８７が、表示禁止時間の計時を終了し、記憶部２５に記憶されている表示禁止時間を０にリセットして、ステップＳ５７に進み、以下、上述したように、表示制御部８３が、交換メッセージを所定の時間だけ出力するように、GUI生成部（図１）を制御して、リターンする。
【００８８】
従って、ランプ動作時間が、標準使用時間を超えている場合において、表示モードが表示禁止モードになっており、かつ、その表示禁止モードになってから、表示禁止時間、即ち、リアプロジェクションTV２１の電源がオンにされていた時間、ひいては、光源ランプ３３Aが点灯されていた時間が、禁止時間閾値を超えたときには、表示モードが、表示禁止モードから表示許可モードに変更され、さらに、表示禁止時間がリセットされる。そして、リアプロジェクションTV２１では、交換メッセージが（リアプロジェクションTV２１の電源がオンにされてから）所定の時間だけ表示される。
【００８９】
以上のように、リアプロジェクションTV２１では、表示モードに基づいて、光源ランプ３３Aの交換メッセージを表示させるか否かを決定するため、光源ランプ３３Aの交換メッセージを、ユーザに煩わしさを感じさせないように適切に表示させることができる。
【００９０】
次に図５を参照し、リアプロジェクションTV２１において、図４の交換メッセージの処理が実行されることにより行われる光源ランプ３３Aの交換メッセージの、表示制御部８３（図２）による表示制御について説明する。
【００９１】
図５の横軸は、ランプ動作時間を表しており、横軸の下に示す矢印は、リアプロジェクションTV２１の電源がオンにされたときのタイミング（時刻）を示している。また、図５の横軸の上に示す矢印は、光源ランプ３３Aの交換メッセージの表示を表している。
【００９２】
なお、図５において、標準使用時間は、例えば、８０００時間であるとし、電源オン閾値は、例えば、５回であるとしている。さらに、図５において、禁止時間閾値は、例えば、５０時間であるとしている。
【００９３】
ランプ動作時間が標準使用時間である８０００時間を超えるまでは、表示モードは初期禁止モードになっており、この場合、表示制御部８３（図２）は、リアプロジェクションTV２１の電源がオンにされても、光源ランプ３３Aの交換メッセージを、表示させない（表示を禁止する）。即ち、ランプ動作時間が、標準使用時間である８０００時間を超えない限り、光源ランプ３３Aの交換メッセージは、表示されない。
【００９４】
その後、ランプ動作時間が、標準使用時間である８０００時間を超えると、表示モード設定部８４（図２）において、表示モードは、初期禁止モードから表示許可モードに変更される。
【００９５】
表示モードが表示許可モードである場合には、表示制御部８３は、リアプロジェクションTV２１の電源がオンにされると、その電源がオンにされた回数である電源オン回数が、電源オン閾値である５回を超えていない限り、光源ランプ３３Aの交換メッセージを、電源がオンにされてから一定時間だけ表示させる。
【００９６】
そして、表示モードが、表示許可モードになっている場合において、電源オン回数が、電源オン閾値である５回を超えると、表示モード設定部８４において、表示モードは、表示許可モードから表示禁止モードに変更される。
【００９７】
表示制御部８３は、表示モードが表示禁止モードとなった場合、その表示禁止モードとなってからの、電源がオンにされているランプ動作時間、即ち、表示禁止時間が、禁止時間閾値である５０時間を超えるまでは、光源ランプ３３Aの交換メッセージの表示を禁止する。従って、表示モードが、表示禁止モードになってからの時間が禁止時間閾値を超えるまでは、リアプロジェクションTV２１の電源がオンにされても、交換メッセージは表示されない。
【００９８】
その後、表示モードが、表示禁止モードとなってからの時間（表示禁止時間）が、禁止時間閾値である５０時間を超えると、表示モード設定部８４において、表示モードは、表示禁止モードから表示許可モードに変更され、表示制御部８３は、上述したように、リアプロジェクションTV２１の電源がオンにされたときに、交換メッセージを表示させる。
【００９９】
以下、表示モード設定部８４において、表示モードが、表示許可モードと表示禁止モードとに交互に変更され、リアプロジェクションTV２１では、表示制御部８３が、表示モードが表示許可モードになっている場合のみ、リアプロジェクションTV２１の電源がオンにされたときに、光源ランプ３３Aの交換メッセージを表示させる。
【０１００】
以上のように、ランプ動作時間が標準使用時間を超えた後、電源オン回数が所定の回数（図５では５回）となるまで、電源がオンにされたときに、交換メッセージを表示させ、その後、所定の期間（図５では５０時間）だけ、交換メッセージの表示を禁止することが繰り返されるので、即ち、いわば、間欠的に、交換メッセージが表示されるので、電源がオンにされるたびに、交換メッセージが必ず表示されることによって、ユーザが煩わしさを感じることを防止しながら、ユーザに、光源ランプ３３Aの交換を促すことができる。
【０１０１】
図６は、光源ランプ３３Aの交換メッセージが、図１のリアプロジェクションTV２１のスクリーン３４に表示される様子の一例を模式的に示す図である。
【０１０２】
即ち、図６（全体）の大きな長方形は、正面から見た場合のスクリーン３４を表しており、図６（右下）の文字が記載された小さな長方形は、スクリーン３４に表示される光源ランプ３３Aの交換メッセージを表している。
【０１０３】
リアプロジェクションTV２１では、表示モードが表示許可モードである場合、リアプロジェクションTV２１の電源をオンにすると、図６に示すような光源ランプ３３Aの交換メッセージが、電源をオンにしたときから一定期間（例えば、１分間）表示される。
【０１０４】
なお、交換メッセージが表示されるスクリーン３４上の位置は、特に限定されるものではないが、ユーザの映像の視聴をなるべく妨げないように、スクリーン３４の端の位置とするのが望ましい。また、交換メッセージも、図６に示した「ランプの交換時期がきました。ランプ交換をおすすめします。」に限定されるものではない。
【０１０５】
次に、図７のフローチャートを参照し、図３のステップＳ２１における交換メッセージの処理の他の実施の形態について説明する。
【０１０６】
ここで、記憶部２５には、標準使用時間より長い最大使用時間が記憶されていることとする。なお、標準使用時間が、光源ランプ３３Aの交換をした方が好ましい時間であるとすれば、最大使用時間は、光源ランプ３３Aの交換を早急にすべき時間である。
【０１０７】
ステップＳ１０１において、ランプ動作時間取得部８１は、光学投射部３３からランプ動作時間を取得し、ランプ動作時間判定部８２に供給する。さらに、ステップＳ１０１では、ランプ動作時間判定部８２が、ランプ動作時間取得部８１からのランプ動作時間が、標準使用時間を超えているかどうかを判定する。ステップＳ１０１において、ランプ動作時間が、標準使用時間を超えていないと判定された場合、リターンする。
【０１０８】
他方、ステップＳ１０１において、ランプ動作時間判定部８２は、ランプ動作時間が、標準使用時間を超えていると判定した場合、ステップＳ１０２に進み、ランプ動作時間が、記憶部２５に記憶されている最大使用時間を超えているか否かを判定する。
【０１０９】
ステップＳ１０２において、ランプ動作時間判定部８２は、ランプ動作時間が、最大使用時間を超えていないと判定した場合、ステップＳ１０３に進み、以下、ステップＳ１０３乃至ステップＳ１１２において、図４のステップＳ５２乃至ステップＳ６１とそれぞれ同様の処理が行われる。
【０１１０】
一方、ステップＳ１０２において、ランプ動作時間が、最大使用時間を超えていると判定された場合、ステップＳ１０８に進み、図４のステップＳ５７と同様に、表示制御部８３が、交換メッセージを表示させ、リターンする。
【０１１１】
従って、ランプ動作時間が、最大使用時間を超えていない場合は、図４と同様にして、交換メッセージの表示が行われる。そして、ランプ動作時間が、最大使用時間を超えると、それ以後は、リアプロジェクションTV２１の電源がオンにされるたびに、電源をオンしたときから一定時間だけ、光源ランプ３３Aの交換メッセージが必ず表示される。
【０１１２】
以上のように、ランプ動作時間が、標準使用時間を超えるだけでなく、それよりも長い最大使用時間を超えた場合には、以後、光源ランプ３３Aの交換がされるまで、リアプロジェクションTV２１の電源をオンするごとに、電源をオンしたときから一定時間だけ、交換メッセージが、スクリーン３４に表示される。従って、ユーザに、光源ランプ３３Aの交換を催促することができる。
【０１１３】
なお、最大使用時間としては、例えば、光源ランプ３３Aが切れる少し前の時間（光源ランプ３３Aが切れると予想される時間よりも少し前の時間）を設定することができる。
【０１１４】
また、ランプ動作時間が、最大使用時間を超えていないが、標準使用時間を超えているときに表示する交換メッセージと、ランプ動作時間が、最大使用時間を超えているときに表示する交換メッセージとは、同一であっても良いが、異なっていても良い。例えば、ランプ動作時間が、最大使用時間を超えているときに表示する交換メッセージは、ランプ動作時間が、最大使用時間を超えていないが、標準使用時間を超えているときに表示する交換メッセージと比較して、光源ランプ３３Aの交換をより早急に促す内容のメッセージとすることができる。
【０１１５】
図８を参照し、リアプロジェクションTV２１において、図７の交換メッセージの処理が実行されることにより行われる光源ランプ３３Aの交換メッセージの、表示制御部８３による表示制御について説明する。
【０１１６】
図８では、図５と同様に、表示モードが初期禁止モードから始まり、その後に表示許可モードに設定され、さらに、表示禁止モードに設定され、以下、表示モードが表示許可モードの場合と、表示禁止モードの場合とを交互に繰り返すが、ランプ動作時間が最大使用時間を超えると、表示制御部８３は、表示モードに関わらず、リアプロジェクションTV２１の電源がオンにされるたびに、必ず、交換メッセージを表示させる。
【０１１７】
図９は、図２に示す制御部２４の機能をプログラムの実行によって実現するための、そのプログラムを実行するハードウェア構成例を示すブロック図である。
【０１１８】
CPU（Central Processing Unit）２０１は、ROM（Read Only Memory）２０２、または記憶部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。
【０１１９】
CPU２０１にはまた、バス２０４を介して入出力インタフェース２０５が接続されている。
【０１２０】
入出力インタフェース２０５に接続されている記憶部２０８は、例えばハードディスクや不揮発性メモリからなり、CPU２０１が実行するプログラムや各種のデータを記憶する。なお、図１の記憶部２５は、記憶部２０８に対応している。
【０１２１】
CPU２０１が実行するプログラムは、あらかじめ記憶部２０８にインストール（記憶）しておくこともできるし、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディアに記憶（記録）しておき、そのようなリムーバブルメディアから、記憶部２０８にインストールすることもできる。また、プログラムのインストールは、入出力インタフェース２０５を介して、ローカルエリアネットワーク、インターネット、デジタル衛星放送といった、有線または無線の通信媒体を利用して行うこともできる。
【０１２２】
なお、ユーザが、リアプロジェクションTV２１（のスクリーン３４）に表示される光源ランプ３３Aの交換メッセージにより、光源ランプ３３Aの交換をした場合、ランプ動作時間や、電源オン回数、表示禁止時間、および表示モードはリセットされる（デフォルトに戻される）。
【０１２３】
ランプ動作時間などのリセットは、例えば、光源ランプ３３Aの交換後に、ユーザに、所定のリセットボタンを操作してもらい、そのリセットボタンの操作をトリガとして行うことができる。
【０１２４】
さらに、リアプロジェクションTV２１は、複数の種類の光源ランプ３３Aを備えることができる場合、光学投射部３３が、リアプロジェクションTV２１に備え付けられた光源ランプ３３Aの種類を判定し、その判定結果（光源ランプ３３Aの種類情報）を制御部２４に供給することで、制御部２４は、記憶部２５に記憶されている標準使用時間を、その光源ランプ３３Aの標準使用時間に設定することができる。この場合、記憶部２５には、複数の種類の光源ランプ３３Aの種類情報と、その光源ランプ３３Aの標準使用時間とがひも付けされたランプ標準使用時間情報が記憶されていることとし、制御部２４は、光学投射部３３から供給される光源ランプ３３Aの種類情報と、そのランプ標準使用時間情報に基づいて、その光源ランプ３３Aの標準使用時間を設定することとする。
【０１２５】
また、記憶部２５に記憶される標準使用時間、電源オン閾値、禁止時間閾値、または最大使用時間は、例えば、ユーザが、操作部２３やリモートコントローラ１１を操作することにより、それぞれの値を変更することができる。
【０１２６】
なお、本実施の形態では、図４の表示禁止時間計時部８７において、表示モードが、表示禁止モードとなってからの、リアプロジェクションTV２１の電源がオンにされている時間（表示禁止時間）を計時し、表示禁止時間判定部８８において、その表示禁止時間が禁止時間閾値を超えたと判定されるまでの間、即ち、表示禁止モードになってから、あらかじめ定められた時間（禁止時間閾値に対応する時間）が経過するまでの間を、所定の期間として、その所定の期間だけ、表示モードを、表示禁止モードとするようにしたが、表示モードを、表示禁止モードとする所定の期間は、これに限定されるものではない。
【０１２７】
即ち、例えば、表示モードが、表示禁止モードになってからの、リアプロジェクションTV２１の電源がオンにされた回数を、電源オン回数カウント部８５によってカウントし、その電源がオンにされた回数が、あらかじめ定められた回数になるまでの間を、所定の期間として、その所定の期間だけ、表示モードを表示禁止モードとすることができる。この場合、図４において、表示禁止時間計時部８７と表示禁止時間判定部８８とは不要になる。
【０１２８】
以上、本発明を、リアプロジェクションテレビジョン受像機システムに適用した場合を説明してきたが、本発明は、光源ランプを有し、メッセージを表示することができるあらゆる装置に適用することができる。
【０１２９】
また、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１３０】
さらに、本明細書において、システムとは、複数の装置により構成される装置全体を表すものである。
【０１３１】
なお、本発明の実施の形態は、上述した実施の形態に限定されるものではなく、本発明の要旨を逸脱しない範囲において種々の変更が可能である。
【図面の簡単な説明】
【０１３２】
【図１】本発明を適用したリアプロジェクションテレビジョン受像機システムの一実施の形態の構成例を示すブロック図である。
【図２】図１の制御部２４の構成例を示すブロック図である。
【図３】本発明を適用したリアプロジェクションテレビジョン受像機システムにおける処理を示すフローチャートである。
【図４】図３のステップＳ２１における交換メッセージの処理の詳細を示すフローチャートである。
【図５】図４の交換メッセージの処理が実行されることにより行われる光源ランプ３３Aの交換メッセージの表示を説明する図である。
【図６】光源ランプ３３Aの交換メッセージの表示例を示す図である。
【図７】図３のステップＳ２１における交換メッセージの処理の他の実施の形態を示すフローチャートである。
【図８】図７の交換メッセージの処理が実行されることにより行われる光源ランプ３３Aの交換メッセージの表示を説明する図である。
【図９】制御部２４のハードウェア構成例を示すブロック図である。
【符号の説明】
【０１３３】
１１  リモートコントローラ，  ２１  リアプロジェクションテレビジョン受像機，  ２２  受信部，  ２３  操作部，  ２４  制御部，  ２５  記憶部，  ２６  アンテナ，  ２７  TV信号受信部，  ２８  音声復号部，  ２９  スピーカ，  ３０  映像復号部，  ３１  GUI生成部，  ３２  合成部，  ３３  光学投射部，  ３３A  光源ランプ，  ３４  スクリーン，  ８１  ランプ動作時間取得部，  ８２  ランプ動作時間判定部，  ８３  表示制御部，  ８４  表示モード設定部，  ８５  電源オン回数カウント部，  ８６  電源オン回数判定部，  ８７  表示禁止時間計時部，  ８８  表示禁止時間判定部，  ２０１  CPU，  ２０２  ROM，  ２０３  RAM，  ２０４  バス，  ２０５  入出力インタフェース，  ２０８  記憶部
【図１】
2007172950.tif 000003
【図２】
2007172950.tif 000004
【図３】
2007172950.tif 000005
【図４】
2007172950.tif 000006
【図５】
2007172950.tif 000007
【図６】
2007172950.tif 000008
【図７】
2007172950.tif 000009
【図８】
2007172950.tif 000010
【図９】
2007172950.tif 000011